(57)【特許請求の範囲】
【請求項１】
植物を生成する筆記具であって、該筆記具は、
筆記端部および対向する非筆記端部を有する、ハウジング；
ハウジングの非筆記端部に配置された、カプセルであって、１つ以上の種を含み、１つ以上の種を放出するために、湿潤土内の配置後に分解可能な材料で作られているカプセル；および
ハウジングの非筆記端部の湿潤土内の配置を助けるための、ハウジングに位置するしるし、を含み、
前記しるしは、幹を有する植物の表示を含み、前記しるしは、前記ハウジングの前記非筆記端部を前記湿潤土内に配置する際に直立に配向されることを特徴とする、植物を生成する筆記具。
【請求項２】
ハウジングが、木製のケーシングおよび木製のケーシング内に収容されたマーキング芯を含み、該マーキング芯が、ハウジングの筆記端部で露出しており、木材のケーシングの除去によって尖ることができることを特徴とする、請求項１に記載の植物を生成する筆記具。
【請求項３】
カプセルが、１つ以上の種の水分への露出を保護することを特徴とする、請求項１に記載の植物を生成する筆記具。
【請求項４】
カプセルが、１つ以上の種を光から保護するために不透明であることを特徴とする、請求項１に記載の植物を生成する筆記具。
【請求項５】
カプセルが、１つ以上の種をカプセルの外に運ぶために、湿潤土内に植えられたときに膨張可能である基材をさらに含むことを特徴とする、請求項１に記載の植物を生成する筆記具。
【請求項６】
カプセルが、カプセル単独を植えることを可能にするために、ハウジングに着脱可能に係合されることを特徴とする、請求項１に記載の植物を生成する筆記具。
【請求項７】
カプセルが、カプセルをハウジングの少なくとも一部分と一緒に植えるために、ハウジングに固定して取り付けられることを特徴とする、請求項１に記載の植物を生成する筆記具。
【請求項８】
カプセルが、ハウジング内に形成されることを特徴とする、請求項１に記載の植物を生成する筆記具。
【請求項９】
ハウジングと対向してカプセルに取り付けられた消しゴムをさらに含むことを特徴とする、請求項１に記載の植物を生成する筆記具。
【請求項１０】
植物を成長させるためのキットであって、該キットは、
筆記端部および対向する非筆記端部を有する筆記具；
湿潤土内の配置で分解可能な材料で作られている、筆記具の非筆記端部での取付け用のカプセル；
植物を生成するための１つ以上の種；および
ハウジングの非筆記端部の湿潤土内の配置を助けるための、ハウジングに位置するしるし、を含み、
前記しるしは、幹を有する植物の表示を含み、前記しるしは、前記ハウジングの前記非筆記端部を前記湿潤土内に配置する際に直立に配向されることを特徴とする、キット。
【請求項１１】
湿潤土内の配置後に膨張可能である基材をさらに含むことを特徴とする、請求項１０に記載のキット。
【請求項１２】
筆記具が、鉛筆であることを特徴とする、請求項１０に記載のキット。
【請求項１３】
カプセルが、１つ以上の種の水分への露出を保護することを特徴とする、請求項１０に記載のキット。
【請求項１４】
カプセルが、１つ以上の種を光から保護するために不透明であることを特徴とする、請求項１０に記載のキット。
【請求項１５】
筆記具の楽しみを広げるための方法であって、該方法は、
１つ以上の種を分解性のカプセルへと入れる工程；
カプセルを、筆記具の非筆記端部の湿潤土内の配置を助けるための、筆記具に位置するしるしを有する筆記具に取り付け、前記しるしは、幹を有する植物の表示を含み、前記しるしは、前記筆記具の前記非筆記端部を前記湿潤土内に配置する際に直立に配向される工程；
筆記具が使い尽くされた後に及びしるしを見て、カプセルを湿潤土へと植える工程であって、それによって、カプセルを分解し、１つ以上の種を放出する、工程；および
１つ以上の植物を１つ以上の種から成長させる工程、を含むことを特徴とする、方法。
【請求項１６】
湿潤土内に植えられたときに膨張可能である基材を、カプセルへと加える工程をさらに含むことを特徴とする、請求項１５に記載の方法。
【請求項１７】
カプセルを筆記具に取り付ける工程において、筆記具が鉛筆であることを特徴とする、請求項１５に記載の方法。
【請求項１８】
前記非筆記端部を前記湿潤土内に配置する際に、前記筆記具全体が前記湿潤土内に沈められる、ことを特徴とする、請求項１５に記載の方法。
【請求項１９】
前記非筆記端部を前記湿潤土内に配置する際に、前記しるしの少なくとも一部が前記湿潤土から突出することを特徴とする、請求項１５に記載の方法。
【請求項２０】
植物を生成する筆記具であって、該筆記具は、
筆記端部および対向する非筆記端部を有する、ハウジング；
ハウジングの非筆記端部に配置された、カプセルであって、１つ以上の種を含み、１つ以上の種を放出するために、湿潤土内の配置後に分解可能な材料で作られているカプセル；および
ハウジングの非筆記端部の湿潤土内の配置を助けるための、ハウジングに位置するしるし、を含み、
前記しるしは、前記カプセルに向かってのびる幹を有する植物の表示を含み、前記しるしは、前記ハウジングの前記非筆記端部を前記湿潤土内に配置する際に直立に配向されることを特徴とする、植物を生成する筆記具。
【発明の詳細な説明】
【技術分野】
【０００１】
関連出願
本出願は、２０１２年８月１６日に出願の、発明の名称「ＳＰＲＯＵＴ： Ａ  ＰＥＮＣＩＬ  ＷＩＴＨ  Ａ  ＳＥＥＤ  ＩＮＳＩＤＥ」、米国仮特許出願第６１／６８３，７１５号の利益およびそれに対する優先権を主張し、これは、その全体が引用によって本明細書に組み込まれる。
【０００２】
概略
本開示は、植物を生成する筆記具、特に、種を用いる植込可能な部分を有する筆記具、およびそのような種から植物を成長させる方法に関する。
【背景技術】
【０００３】
鉛筆は、典型的に、黒鉛芯を取り囲む木製のケーシング（ｗｏｏｄ ｃａｓｉｎｇ）で構成される。木製のケーシングは、筆記、描画、またはマーキングの目的で、黒鉛などの芯の幾つかを露出するために、一端が部分的に除去される。鉛筆が使用されるとともに、露出した芯の部分は、すり減り、丸まる（ｄｕｌｌ）。鉛筆を尖らせるために、木製のケーシングの追加部分が除去される必要がある。最終的に、木材のケーシングの尖鋭化および除去を繰り返した後に、鉛筆は、短くなり過ぎて使用することができず、典型的に捨てられる。他の筆記具も、同じような運命となる。使用期間後、それらは、インクを使い果たすか又は壊れて、捨てられる。毎年捨てられる筆記具の数は驚異的な数であり、不必要な浪費につながりかねない。それ故、筆記または描画の主目的に適さないようになった後でさえ楽しむことができる、鉛筆または別のタイプの筆記具が必要とされている。
【発明の概要】
【課題を解決するための手段】
【０００４】
本開示は、植物を成長させるための、器具、キットおよび方法を提供する。幾つかの実施形態では、植物を生成する筆記具が提供される。そのような筆記具は、筆記端部および対向する非筆記端部を有するハウジングを含み得る。幾つかの実施形態では、ハウジングは、木製のケーシングおよび木製のケーシング内に収容されたマーキング芯を含み得、該マーキング芯は、ハウジングの筆記端部で露出しており、木製のケーシングの除去によって尖ることができる。さらに、１つ以上の種を有するカプセルは、ハウジングの非筆記端部に配置され得る。カプセルは、１つ以上の種を放出するために、湿潤土内の配置後に分解可能である。カプセルは、１つ以上の種をカプセルの外に運ぶために、湿潤土内に植えられたときに膨張可能である基材をさらに含む。
【０００５】
幾つかの実施形態では、植物を成長させるためのキットが提供される。キットは、筆記端部および対向する非筆記端部を有する、鉛筆などの、筆記具を含み得る。キットは、筆記具の非筆記端部での取付け用のカプセルをさらに含み、該カプセルは、湿潤土内の配置後に分解可能となる。カプセルは、植物を生成するための１つ以上の種を含み得る。
【０００６】
幾つかの実施形態では、筆記具の楽しみを広げる方法が提供される。最初に、１つ以上の種を有するカプセルは、鉛筆などの筆記具に取り付けられ得る。筆記具が使い尽くされると（または所望されればもっと早くに）、カプセルは、湿潤土へと植えられ得、これによって、カプセルは、分解されて、１つ以上の種を放出し得る。続いて、１つ以上の植物が、１つ以上の種から成長し得る。
【図面の簡単な説明】
【０００７】
本開示の実施形態は、添付の図面を参照してさらに説明され、ここで同様の構造が、幾つかの図の全体にわたる同様の符号によって引用される。示される図面は、必ずしもサイズが統一されておらず、代わりに、本開示の実施形態の原理を例証することに一般に重点が置かれている。
【０００８】
【図１】図１は、本開示の筆記具の側面図である。
【図２】図２は、本開示の種を有するカプセルの側面図である。
【図３】図３は、本開示の筆記具を使用する及び植えるための方法の実施形態を例証する。
【図４】図４は、本開示の植えた筆記具を例証する。
【０００９】
上に確認される図面は、本開示の実施形態を明記しているが、他の実施形態も、議論されるように、熟考される。本開示は、限定するものではなく代表的なものとして例示の実施形態を示している。多数の他の変更および実施形態が、本開示の実施形態の原理の範囲および精神内にある当該技術分野の当業者によって考案され得る。
【発明を実施するための形態】
【００１０】
図１を参照すると、本開示に従って植物を生成する筆記具１００が提供される。筆記具１００は、幾つかの実施形態では、木製のケーシングまたはハウジング１０２、および１つ以上の植物を成長させることができる１つ以上の種を保持するカプセル１１０を含む。筆記具１００が使い尽くされると、すなわち、筆記またはマーキングにはもはや使用できない、または必要とされないと、１つ以上の植物を成長させるために、カプセルが植えられ得る。
【００１１】
図２を参照すると、カプセル１１０は、１つ以上の植物を成長させることができる１つ以上の種１１４を含み得る。このように、カプセル１１０は、単独で又は筆記具の少なくとも一部分とともに植えられ得、種１１４を放出するために作動されて（ａｃｔｉｖａｔｅｄ）、種１１４の発芽および成長を可能にする。様々な種類の種が、本開示の筆記具１００とともに使用され得る。適切な種は、限定されないが、（ｉ）キンセンカおよびマリーゴールドなどの、花、（ｉｉ）パセリ、セージ、ローズマリー、タイム、バジル、ディル、ミントなどの、薬草、および（ｉｉｉ）トマト、ナス、ハラペーニョ、胡椒などの、野菜を含む。幾つかの実施形態では、種の種類は、筆記具１００の色またはスタイルに一致した花を含むために、さらに様々であり得る。例えば、色鉛筆は、鉛筆の芯に一致した色の色づけした花へと成長することができる。さらに又は代替的に、菌類胞子、ウイルス、または細菌（または微生物）の種類が、カプセル１１０に含まれてもよい。幾つかの実施形態では、様々な種の種類が、カプセルから成長した様々な植物を生成するために混合され得る。
【００１２】
カプセル１１０は、幾つかの実施形態において、植えられるまでの通常の使用過程の間、１つ以上の種１１４を、物理的危害および水分と光への露出から保護する。その目的のために、カプセル１１０は、防水材料または耐水材料で作られ得る。幾つかの実施形態では、カプセル１１０は、種１１４の未熟発芽を結果としてもたらし得る、水分のカプセル１１２への進入および水分による種１１４の冠水（ｉｒｒｉｇａｔｉｎｇ）を防ぐために、１つ以上の種１１４のまわりにシールを形成する。幾つかの実施形態では、カプセル１１０は、１つ以上の種１１４の光への露出を保護するために、不透明または非透明な材料から作られ得る。一方で、カプセル１００は、湿潤土へと植えられるときなどに、水分への持続した露出後に、分解または溶解するように設計される。このように、カプセル１１０は、湿潤土へと植えられるときに、分解または溶解し得ることで、カプセル１１０から１つ以上の種１１４を放出し、その種は、続いて、１つ以上の植物へと成長し得る。幾つかの実施形態では、カプセルは、セルロースまたはゼラチンで作られ得る。
【００１３】
図２を続けて参照すると、カプセル１１０は、基材１１２をさらに含み得、ここで１つ以上の種１１４は、カプセル１１０内に埋め込まれ得る。幾つかの実施形態では、基材１１２は、カプセル１１０への基材の効果的なパッキングを可能にするために密になり得る。基材１１２は、種１１４を物理的危害および水分または光への露出からさらに保護し得る。幾つかの実施形態では、基材１１２の少なくとも一部分は、基材が湿潤土へと植えられるときなどに、水分への露出後に膨張可能であり得る。このように、カプセル１１０が湿潤土に植えられて分解が始まるときに、基材１１２は、湿潤土から水分を吸収し得、（カプセルが、まだ溶解または分解されていない場合に）膨張してカプセル１１０を破裂させ得ることで、１つ以上の種をカプセル１１０の外に運ぶ。膨張する基材１１２は、作動すると、カプセル１１０を種１１４から押し離すことで、通気を提供し、発芽中の種の窒息（ｓｕｆｆｏｃａｔｉｏｎ）を防ぐ。幾つかの実施形態では、基材１１２は、水分への露出で膨張し得る、乾燥したピート（ｄｒｙ ｐｅａｔ）を含む。基材のための追加の適切な材料は、限定されないが、一般的な培養土、粉砕されたヤシ殻、ミズゴケ、またはそれらの組み合わせを含む。
【００１４】
図１を再び参照すると、カプセル１１０は、その一端が筆記具１００に取り付けられ得る。幾つかの実施形態では、カプセル１１０は、筆記具１００に永久的にまたは固定して取り付けられ得る。他の実施形態では、カプセル１１０は、筆記具１００から着脱可能に係合され得る。幾つかの実施形態では、消しゴム（図示せず）が、筆記具１００の端部ではなくカプセルの端部に取り付けられ得ることで、ユーザーは、筆記具１００によって書いた文字を消すことができる。
【００１５】
幾つかの実施形態では、カプセル１１０は、筆記具１１０のケーシング１０２と一体となり得る。そのような実施形態では、ケーシング１０２の非筆記端部に、空洞が作られ得る。空洞は、１つ以上の種を有する膨張可能な基材で満たされ得る。空洞の外端は、セルロースまたはゼラチンなどの、分解性のカバーで覆われ得る。筆記具が植えられるときに、カバーが分解し得ることで、膨張可能な基材は、ケーシング中の空洞から１つ以上の種を押し出すことができる。幾つかの実施形態では、ケーシング１０２は、分解性の材料で作られ得ることで、筆記具が植えられるときに、分解して、１つ以上の種を放出する。本開示の植込可能なカプセルが、限定されないが、他の事務用品または台所道具などの、任意の他のタイプの器具、装置、またはツールに取り付けられ得ることに留意されたい。
【００１６】
筆記具１００は、幾つかの実施形態において、ケーシング、または筆記またはマーキングのデバイスあるいはインクを保持するためのハウジング１０２を含み得る。ケーシング１０２は、筆記端部１０４および筆記端部１０４に対向する非筆記端部１０６を有する。筆記具１００は、限定されないが、ペン、鉛筆、マーカー、ハイライトマーカー、毛筆、あるいはマーキング、筆記または描画に使用可能な任意の他の器具を含む、任意の筆記具から選択され得る。幾つかの実施形態では、筆記具１００は、木製のケーシング１０２および木製のケーシング１０２内の黒鉛または色芯１０８を備える従来の鉛筆であってもよい。任意の従来の鉛筆でのように、色芯１０８が、木製のケーシング１０２の筆記端部１０４で露出され得ることで、筆記具１００で書くことが可能になる。色芯１０８の露出部分がすり減り、丸まると、鉛筆は、色芯１０８の所望の長さを露出させるために、木製のケーシング１０２を除去することによって尖ることができる。
【００１７】
幾つかの実施形態では、植物を生成する筆記具用のキットが提供され得る。幾つかの実施形態では、キットは、芯を有するケーシング１０２、およびケーシング１０２に取り付けられ得るカプセル１１０を含み得る。幾つかの実施形態では、基材１１２、種１１４、およびカプセル１１０をケーシング１０２に取り付けるための手段もまた、キットに含まれ得る。
【００１８】
筆記具１００を組み立てるために、幾つかの実施形態では、カプセル１１０には、基材１１２が充填され得る。幾つかの実施形態では、基材１１２は、微細な乾燥粉末として提供される。基材１１２の整合性を保証するために、基材１１２中で任意の一群または塊（ｃｌｕｍｐｓ ｏｒ ｌｕｍｐｓ）を解体することが望ましいかもしれない。幾つかの実施形態では、基材１１２は、カプセル１１２内に圧縮され得る。１つ以上の種は、基材１１２に加えられ得る。幾つかの実施形態では、カプセル１１０は、基材１１２および種１１４を保持することができる閉鎖端、および閉鎖端に対向する開放端を有し得る。幾つかの実施形態では、カプセル１１０は、基材１１２および種１１４を既に実装されて供給され得る。
【００１９】
カプセル１１０を筆記具１００と係合させるために、筆記具１００の非筆記端部１０６は、カプセル１１０の開放端へと挿入され得る。幾つかの実施形態では、筆記具１００の非筆記端部１０６は、カプセル１１２へのより容易な挿入のために、例えば、くり抜き機（ｒｏｕｔｅｒ）を使用して形作られ得る。幾つかの実施形態では、カプセル１１０および筆記具１００の非筆記端部１０６のサイズは、摩擦嵌めを作り出すために互いに合わせられ得る。さらに又は代替的に、例えば、接着剤、留め具、または類似したものなどの、追加の取付手段が、カプセル１１０を筆記具１００に固定するために使用されてもよい。幾つかの実施形態では、カプセル１１０は、製造を容易にするために両端が閉じられてもよく、機械的手段によって筆記具１００に取り付けられてもよい。
【００２０】
図３を参照すると、作動中である、筆記具１００、特に、筆記具１００の非筆記端部１０６に係合されたカプセル１１２を有する鉛筆が提供されている。鉛筆１００は、鉛筆１００の尖鋭化の繰り返しが原因で短くなり過ぎて、さらに使用できなくなるまで、筆記または描画のために使用され得る。この時点で、１つ以上の種１１４を含んでいるカプセル１１０は、単独で又は鉛筆１００の残りの部分とともに、土へと植えられ得る。幾つかの実施形態では、図４に示されるように、筆記具１００は、しるし１２０を含み得、該しるしは、ユーザーにカプセルを特定の方向に植えるように指示している。幾つかの実施形態では、筆記具は、種１１４の名称を含み得、これは、有用な植え込みマーカー（ｐｌａｎｔｉｎｇ ｍａｒｋｅｒ）として使用され得る。
【００２１】
カプセル１１０は水で作動されるため、カプセル１１０の最初のいくらかの散水がカプセルを作動させ得、１つ以上の種の発芽を開始させ得る。カプセル１１０は、一旦植えられると、水分に露出されて、崩壊または溶解を開始し、それによって、水分は種１１４に達し、発芽を開始させることができる。膨張する基材１１２を有する実施形態では、基材１１２は、種１１４をカプセル１１０の外に運ぶために、水分の存在によって膨張し得る。その後、種１１４を成長且つ成熟させるために、従来の植物栽培の慣習が続く。本開示の筆記具を使用する及び植える方法を、鉛筆に関して記載したが、類似の方法が、他のタイプの筆記具に適用可能であることに留意されたい。
【００２２】
本明細書で言及される、すべての特許、特許出願、および公開された参考文献は、それら全体が引用によって本明細書に組み込まれる。上に開示された及び他の特徴および機能の幾つか、またはその代替物が、多くの他の異なるシステムまたは適用へと所望されるように組み合わせられ得ることが認識されるだろう。以下の特許請求の範囲に包含されるようにも意図される当該技術分野の当業者によって、続けて、その様々な代替案、修正、変更または改善がなされ得る。
【図１】
0006341387.tif 000002
【図２】
0006341387.tif 000003
【図３】
0006341387.tif 000004
【図４】
0006341387.tif 000005